(57)【特許請求の範囲】
【請求項１】
少なくとも表面層１と電磁気検知防止用導電層２（電磁気シールド層）と真正又は不正をＯＮ／ＯＦＦの電子情報として記録する電磁気検知層３と接着剤層４との多層積層構造体からなるラベル本体の内層部分に、前記導電層２を受信アンテナとする不正防止用の情報を記録したＩＣメモリチップ１１が取り付けられていることを特徴とするＩＣメモリチップ付不正防止ラベル。
【請求項２】
前記表面層１がラベル基材層であることを特徴とする請求項１記載のＩＣメモリチップ付不正防止ラベル。
【請求項３】
前記表面層１と電磁気検知防止用導電層２と電磁気検知層３のいずれか１層がラベル基材層上に形成されていることを特徴とする請求項１記載のＩＣメモリチップ付不正防止ラベル。
【請求項４】
少なくとも表面層１と第１の電磁気検知防止用導電層２ａ（電磁気シールド層）と真正又は不正をＯＮ／ＯＦＦの電子情報として記録する電磁気検知層３と第２の電磁気検知防止用導電層２ｂと接着剤層４との多層積層構造体のラベル本体の内層部分に、前記第１の導電層２ａ又は／及び第２の導電層２ｂを受信アンテナとする商品情報など不正防止用の情報を記録したＩＣメモリチップ１１が取り付けられていることを特徴とするＩＣメモリチップ付不正防止ラベル。
【請求項５】
前記表面層１がラベル基材層であることを特徴とする請求項４記載のＩＣメモリチップ付不正防止ラベル。
【請求項６】
少なくとも表面層１と真正又は不正をＯＮ／ＯＦＦの電子情報として記録する第１の電磁気検知層３ａ（電磁気反応層）と絶縁性中間層２０と真正又は不正をＯＮ／ＯＦＦの電子情報として記録する第２の電磁気検知層３ｂと接着剤層４との多層積層構造体のラベル本体の内層部分に、前記第１の電磁気検知層３ａの外側に設けた第１の導電層２ａ又は／及び第２の電磁気検知層３ｂの外側に設けた第２の導電層２ｂを受信アンテナとする商品情報など不正防止用の情報を記録したＩＣメモリチップ１１が取り付けられていることを特徴とするＩＣメモリチップ付不正防止ラベル。
【請求項７】
前記表面層１がラベル基材層であることを特徴とする請求項６記載のＩＣメモリチップ付不正防止ラベル。
【請求項８】
前記ＩＣメモリチップ付不正防止ラベルの表面又は裏面のいずれか一面若しくは両面に、当該ラベル又は当該ラベルを貼着する物品に関する商品名、製造者名、販売者名又はバーコードのいずれかの情報が可視表示されていることを特徴とする請求項１乃至請求項７のいずれか１項記載のＩＣメモリチップ付不正防止ラベル。
【請求項９】
前記ＩＣメモリチップが、前記ラベル本体の多層積層構造体の内層側に取り付けられていることを特徴とする請求項１乃至請求項８のいずれか１項記載のＩＣメモリチップ付不正防止ラベル。
【請求項１０】
前記ＩＣメモリチップは、書き込み記録（書き換えや再書き込み記録を含む）と読み出しの両方が可能であることを特徴とする請求項１乃至請求項９のいずれか１項記載のＩＣメモリチップ付不正防止ラベル。
【請求項１１】
前記ＩＣメモリチップは、予め書き込み記録されている情報データの読み出しのみが可能であって、書き込み記録（書き換えや再書き込み記録を含む）が不可能であることを特徴とする請求項１乃至請求項９のいずれか１項記載のＩＣメモリチップ付不正防止ラベル。
【請求項１２】
前記ＩＣメモリチップには、当該ラベル又は当該ラベルを貼着する物品に関する製造情報、あるいは容器材質、容器構成、容器材質情報、あるいは消耗品本体に関する情報、あるいはラベルに関するＩＤ、ラベル個体情報のいずれかが記録されていることを特徴とする請求項１乃至請求項１１のいずれか１項記載のＩＣメモリチップ付不正防止ラベル。
【発明の詳細な説明】
【０００１】
【発明の属する技術分野】
本発明は、物品が純正品や推奨品であるか又は不正品であるかを判別したり、物品の不正な持ち出しを検知するために物品に貼着して使用する不正防止用ラベルであって、商品情報など不正防止用の情報を記録したＩＣメモリチップを取り付けたＩＣメモリチップ付不正防止ラベルに関する。
【０００２】
【従来の技術】
従来の不正防止用情報を記録したＩＣメモリチップを取り付けたＩＣメモリチップ付不正防止ラベルにおいては、ＩＣメモリチップがメモリ機能を有し、不正を防止するための各種不正防止用情報の搭載若しくは書き込みができるという情報の記録容量が大きいといった長所があるが、不正防止ラベルに搭載したＩＣメモリチップに対する電磁気信号による通信プロトコルを非接触方式で行う場合には、極めて近距離の通信方式になり、またプロトコル信号受信用の大きなアンテナや大きく高価な設備が必要になる。
【０００３】
他方、上記のようなＩＣメモリチップによる不正防止機能とは異なる別の不正防止機能を備えた不正防止ラベルとしては、例えば、表面層と電磁気検知防止用導電層と電磁気検知層（反応層）と粘着剤層との多層積層構造体からなる電磁気検知層付き不正防止ラベルがある。
【０００４】
この電磁気検知層付き不正防止ラベルは、当該ラベルを貼着した物品が持ち出される際に通過する位置に設置されたゲート（出入口、通用門など）から発生する磁気信号が、そのラベルの記録層に記録された情報（ゲート通過許可又は未許可）を読み取り、その情報に基づきゲートをＯＮ（ゲート開放動作：ゲート通過許可動作）又はＯＦＦ（ゲート閉鎖動作：ゲート通過警報動作）するものである。
【０００５】
このように、上記電磁気検知層付き不正防止ラベルの記録層は、非接触方式のＩＣメモリチップと比較して、ゲートと物品との非接触通信距離が長くても通信動作可能であり、また小型のアンテナで通信動作可能であり、また安価な設備で済むといった長所がある反面、上記のようなゲートをＯＮ／ＯＦＦさせるだけの指示信号しか記録できない。
【０００６】
【発明が解決しようとする課題】
本発明の課題は、上記ＩＣメモリチップ付不正防止ラベルと、電磁気検知層付き不正防止ラベルとの両方の長所を取り入れた不正防止ラベルを提供することにある。
【０００７】
【課題を解決するための手段】
本発明の請求項１に係る発明は、少なくとも表面層１と電磁気検知防止用導電層２（電磁気シールド層）と真正又は不正をＯＮ／ＯＦＦの電子情報として記録する電磁気検知層３と接着剤層４との多層積層構造体からなるラベル本体の内層部分に、前記導電層２を受信アンテナとする不正防止用の情報を記録したＩＣメモリチップ１１が取り付けられていることを特徴とするＩＣメモリチップ付不正防止ラベルである。
【０００８】
本発明の請求項２に係る発明は、上記請求項１に係るＩＣメモリチップ付不正防止ラベルにおいて、前記表面層１がラベル基材層であることを特徴とするＩＣメモリチップ付不正防止ラベルである。
【０００９】
本発明の請求項３に係る発明は、上記請求項１に係るＩＣメモリチップ付不正防止ラベルにおいて、前記表面層１と電磁気検知防止用導電層２と電磁気検知層３のいずれか１層がラベル基材層上に形成されていることを特徴とするＩＣメモリチップ付不正防止ラベルである。
【００１０】
本発明の請求項４に係る発明は、少なくとも表面層１と第１の電磁気検知防止用導電層２ａ（電磁気シールド層）と真正又は不正をＯＮ／ＯＦＦの電子情報として記録する電磁気検知層３と第２の電磁気検知防止用導電層２ｂと接着剤層４との多層積層構造体のラベル本体の内層部分に、前記第１の導電層２ａ又は／及び第２の導電層２ｂを受信アンテナとする商品情報など不正防止用の情報を記録したＩＣメモリチップ１１が取り付けられていることを特徴とするＩＣメモリチップ付不正防止ラベルである。
【００１１】
本発明の請求項５に係る発明は、上記請求項４に係るＩＣメモリチップ付不正防止ラベルにおいて、前記表面層１がラベル基材層であることを特徴とするＩＣメモリチップ付不正防止ラベルである。
【００１２】
（削除）
【００１３】
本発明の請求項６に係る発明は、少なくとも表面層１と真正又は不正をＯＮ／ＯＦＦの電子情報として記録する第１の電磁気検知層３ａ（電磁気反応層）と絶縁性中間層２０と真正又は不正をＯＮ／ＯＦＦの電子情報として記録する第２の電磁気検知層３ｂと接着剤層４との多層積層構造体のラベル本体の内層部分に、前記第１の電磁気検知層３ａの外側に設けた第１の導電層２ａ又は／及び第２の電磁気検知層３ｂの外側に設けた第２の導電層２ｂを受信アンテナとする商品情報など不正防止用の情報を記録したＩＣメモリチップ１１が取り付けられていることを特徴とするＩＣメモリチップ付不正防止ラベルである。
【００１４】
本発明の請求項７に係る発明は、上記請求項６に係るＩＣメモリチップ付不正防止ラベルにおいて、前記表面層１がラベル基材層であることを特徴とするＩＣメモリチップ付不正防止ラベルである。
【００１５】
（削除）
【００１６】
本発明の請求項８に係る発明は、上記請求項１乃至請求項７のいずれか１項に係るＩＣメモリチップにおいて、記載の前記ＩＣメモリチップ付不正防止ラベルの表面又は裏面のいずれか一面若しくは両面に、当該ラベル又は当該ラベルを貼着する物品に関する商品名、製造者名、販売者名又はバーコードのいずれかの情報が可視表示されていることを特徴とするＩＣメモリチップ付不正防止ラベルである。
【００１７】
本発明の請求項９に係る発明は、上記請求項１乃至請求項８のいずれか１項に係るＩＣメモリチップにおいて、前記ＩＣメモリチップが、前記ラベル本体の多層積層構造体の内層側に取り付けられていることを特徴とするＩＣメモリチップ付不正防止ラベルである。
【００１８】
本発明の請求項１０に係る発明は、上記請求項１乃至請求項９のいずれか１項に係るＩＣメモリチップ付不正防止ラベルにおいて、前記ＩＣメモリチップは、書き込み記録（書き換えや再書き込み記録を含む）と読み出しの両方が可能であることを特徴とするＩＣメモリチップ付不正防止ラベルである。
【００１９】
本発明の請求項１１に係る発明は、上記請求項１乃至請求項９のいずれか１項に係るＩＣメモリチップ付不正防止ラベルにおいて、前記ＩＣメモリチップは、予め書き込み記録されている情報データの読み出しのみが可能であって、書き込み記録（書き換えや再書き込み記録を含む）が不可能であることを特徴とするＩＣメモリチップ付不正防止ラベルである。
【００２０】
本発明の請求項１２に係る発明は、上記請求項１乃至請求項１１のいずれか１項に係るＩＣメモリチップ付不正防止ラベルにおいて、前記ＩＣメモリチップには、当該ラベル又は当該ラベルを貼着する物品に関する製造情報、あるいは容器材質、容器構成、容器材質情報、あるいは消耗品本体に関する情報、あるいはラベルに関するＩＤ、ラベル個体情報のいずれかが記録されていることを特徴とする請求項１乃至請求項１１のいずれか１項記載のＩＣメモリチップ付不正防止ラベルである。
【００２１】
【発明の実施の形態】
本発明のＩＣメモリチップ付不正防止ラベルの実施の形態を、図１（ａ）に示すラベルの側断面図に基づいて以下に詳細に説明する。
【００２２】
本発明の請求項１−３に係るＩＣメモリチップ付不正防止ラベルは、図１（ａ）のラベル側断面図に示すように表面層１と、電磁気検知防止用導電層２（導電体層：電磁気シールド層）と、電磁気検知層３（電磁気反応層であってアモルファス磁性層又はアモルファス半導体層又は導電体層）と、接着剤層４（感圧接着剤層（粘着剤層）又は感熱接着剤層）との多層積層構造体からなるラベル１０である。なお、電磁気検知防止用導電層２と電磁気検知層３との層間には必要に応じて絶縁層（図示せず）が形成されている。
【００２３】
そして、ラベル１０本体の内層部分には、前記導電層２を受信アンテナとする不正を防止するための商品情報など不正防止用の情報を記録したＩＣメモリチップ１１が取り付けられているものである。
【００２４】
図１（ａ）において、上記ＩＣメモリチップ１１は、不正防止ラベル１０の内層部分にある導電層２の下面又は上面に対して接して取り付けられ、該チップ１１と導電層２とは電気的に導通接続している。
【００２５】
上記本発明のＩＣメモリチップ付不正防止ラベル１０のラベル基材層として、前記表面層１をラベル基材層としてもよいし、あるいは、前記電磁気検知防止用導電層２と電磁気検知層３のうち、いずれか１層を形成する基材層を、ラベル１０のラベル基材層としてもよい。なお、ラベル１０の総厚は、特に限定されないが、例えば、２０〜１５０μｍあるいは２０〜４００μｍ程度が適当である。
【００２６】
本発明のＩＣメモリチップ付不正防止ラベル１０に使用する上記表面層１などラベル基材の材質としては、厚さ２０〜１３０μｍ程度の紙製シート、プラスチック製シートが使用でき、また、上記電磁気検知防止用導電層２や、電磁気検知層３の各層は、金属蒸着層や金属箔層であって、層厚は５〜１０μｍ程度若しくは５〜２０μｍ程度でよい。
【００２７】
本発明の不正防止ラベル１０の表面層１の表面には、必要に応じて、ラベル情報を電子データとして記述したバーコード印刷層５が形成され、また、適宜に文字、記号などラベル情報を可視表示した通常印刷層６が形成されている。
【００２８】
本発明の不正防止ラベル１０の内層部にある上記電磁気検知防止用導電層２は外部からラベル１０の表面層１上に向けて何らかの電磁波が照射された際に、下層の電磁気検知層３に記録されている電子情報（不正／真正のいずれかの信号をＯＮ／ＯＦＦ伝達する信号情報）が変更されたり消去されないように、電磁波の影響を防止し、保護するためのシールド層としての役割を果たすものである。
【００２９】
本発明の不正防止ラベル１０の内層部にある上記電磁気検知層３は、電子情報（不正／真正のいずれかの信号をＯＮ／ＯＦＦ伝達する信号情報）を記録した層であり、例えば、店舗などのレジスター（レジ：受付）にて、所定の記録手段（磁気や電波を照射する電磁波照射手段、バーコード読み取り手段、ＰＯＳシステムなど）により所定の物品に貼着したラベル１０の記録層３がチェックを受けることにより、その記録層３の電子情報は不正から真正の信号に切り換えられ、記録層３には真正（例えば、不正な持ち出しによる物品でない真正な物品）であることを伝達するための信号情報が付与される。
【００３０】
そして、店舗の出入口などに設置されたゲート監視手段をラベル１０が通過する際に、その監視手段から発生している磁気信号により上記記録層３が電子的にチェックされ、その物品が真正の信号であれば警報手段は動作しない。
【００３１】
他方、店舗などのレジスター（レジ：受付）にてチェックを受けていない物品であれば、その物品に貼着されているラベル１０の記録層３に記録されている電子情報は不正から真正の信号に切り換えられていないため、ゲート監視手段からの磁気信号により上記記録層３が電子的にチェックされ、その物品が不正であるとして警報手段（警報ブザー、警報チャイム、警報ランプ等）が動作する。
【００３２】
本発明の不正防止ラベル１０の内層部にある上記電磁気検知防止用導電層２を交信用（電力用）アンテナとする非接触式プロトコル方式のＩＣメモリチップ１１のメモリ部には、ラベル情報として、当該ラベル１０を貼着した物品（添付物）の製造者名、販売者名、製造年月日、型番、品番、あるいは商品情報として商品名、製造者名、販売者名、住所、電話番号など、あるいは物品の個体情報としてＩＤコード、ＩＤナンバー、内容量などが記録される。
【００３３】
このＩＣメモリチップ１１は、書き込み記録（書き換えや再書き込み記録を含む）と読み出しの両方が可能であってもよいし、又は予め書き込み記録されている情報データの読み出しのみが可能であって、書き込み記録（書き換えや再書き込み記録を含む）が不可能であってもよい。
【００３４】
本発明の請求項４、５に係るＩＣメモリチップ付不正防止ラベルは、図１（ｂ）のラベル側断面図に示すように、表面層１と、第１電磁気検知防止用導電層２ａ（導電体層：電磁気シールド層）と、電磁気検知層３（電磁気反応層であってアモルファス磁性層又はアモルファス半導体層又は導電体層）と、第２電磁気検知防止用導電層２ｂ（導電体層：電磁気シールド層）と、接着剤層４（感圧接着剤層（粘着剤層）又は感熱接着剤層）との多層積層構造体からなるラベル１０である。なお、第１電磁気検知防止用導電層２ａと電磁気検知層３と第２電磁気検知防止用導電層２ｂとのそれぞれ層間には必要に応じて絶縁層（図示せず）が形成されている。
【００３５】
そして、ラベル１０本体の内層部分の前記第１導電層２ａ若しくは第２導電層２ｂを受信アンテナとする商品情報など不正を防止するための不正防止用の情報を記録したＩＣメモリチップ１１が取り付けられているものである。
【００３６】
そして、上記第１電磁気検知防止用導電層２ａは、外部からラベル１０の表面層１上に向けて、また第２電磁気検知防止用導電層２ｂは、外部からラベル１０に向けてその裏面から接着剤層４に向けて、何らかの電磁波が照射された際に、次層の電磁気検知層３が反応検知しないように遮蔽するためのシールド層としての役割を果たすものである。
【００３７】
本発明の不正防止ラベル１０の内層部にある上記電磁気検知防止用導電層２ａ又は２ｂを交信用（電力用）アンテナとする非接触式プロトコル方式のＩＣメモリチップ１１のメモリ部には、ラベル情報として、当該ラベル１０を貼着した物品（添付物）の製造者名、販売者名、製造年月日、型番、品番、あるいは商品情報として商品名、製造者名、販売者名、住所、電話番号など、あるいは物品の個体情報としてＩＤコード、ＩＤナンバー、内容量などが記録される。
【００３８】
本発明の請求項６−８に係るＩＣメモリチップ付不正防止ラベルは、図１（ｃ）のラベル側断面図に示すように、表面層１と、第１の電磁気検知層３ａ（電磁気反応層であってアモルファス磁性層又はアモルファス半導体層又は導電体層）と、ポリエチレン樹脂など絶縁性合成樹脂による絶縁性中間層２０と、第２の電磁気検知層３ｂ（電磁気反応層であってアモルファス磁性層又はアモルファス半導体層又は導電体層）と、接着剤層４（感圧接着剤層（粘着剤層）又は感熱接着剤層）との多層積層構造体からなるラベル１０である。
【００３９】
そして、ラベル１０本体の内層部分の前記第１電磁気検知層３ａ若しくは第２電磁気検知層３ｂを受信アンテナとする商品情報など不正を防止するための不正防止用の情報を記録したＩＣメモリチップ１１が取り付けられている。
【００４０】
なお、前記第１電磁気検知層３ａと第２電磁気検知層３ｂのうちいずれか一方又は両方のそれぞれ外面側には、前述したような電磁気検知防止用導電層を必要に応じて設けることができ、又は電磁気検知防止用導電層は省略してもよい。
【００４１】
本発明の不正防止ラベル１０の内層部にある上記電磁気検知防止用導電層２ａ又は２ｂを交信用（電力用）アンテナとする非接触式プロトコル方式のＩＣメモリチップ１１のメモリ部には、ラベル情報として、当該ラベル１０を貼着した物品（添付物）の製造者名、販売者名、製造年月日、型番、品番、あるいは商品情報として商品名、製造者名、販売者名、住所、電話番号など、あるいは物品の個体情報としてＩＤコード、ＩＤナンバー、内容量などが記録される。
【００４２】
このように、本発明のＩＣメモリチップ付不正防止ラベル１０は、内層部に電磁気検知層３とＩＣメモリチップ１１の両方を設けてあり、一方の電磁気検知層３は、店舗のレジや受付の専用入力機によってチェック済みか、未チェックであるかのＯＮ／ＯＦＦ電磁信号のみを記録したものであり、店舗の検知ゲートを通過した際に、ラベル１０を取り付けた商品等物品の不正持ち出しの有無を検知するために使用することができ、他方のＩＣメモリチップ１１は、ラベル１０を取り付けた商品等物品に関する情報をデータとして書き込んだり読み出したりするために使用することができる。
【００４３】
そして、電磁気検知層３は、当該ラベル１０を貼着した物品の不正持ち出しなど不正行為を監視し、不正／真正のいずれであるかを監視するための監視層（ＯＮ／ＯＦＦ信号情報層、二値化信号情報層）として機能し、店舗のレジや受付においてチェック用の記録手段によりラベル１０の表面層１上より極めて近距離の非接触式にてチェック情報を記録できるだけでなく、出入口等の物品が通過する位置に設けたゲート監視手段など比較的長距離の非接触通信距離からの磁気信号（チェック信号）を受信して動作できる。
【００４４】
他方のＩＣメモリチップ１１は、ＯＮ／ＯＦＦ信号情報だけをもつ電磁気検知層３と比較して記憶容量が大きいので、当該ラベル１０を貼着した物品に関する物品情報（商品情報、商品関連情報）など、比較的大容量の情報を記録する情報記録層として機能し、店舗のレジや受付において、読み出し手段、あるいは読み出し書き込み手段にて、ラベル１０の表面層１上より極めて近距離の非接触式にて読み取り、あるいは書き込み記録できる。
【００４５】
また、ＩＣメモリチップ１１に記録された情報は、当該ラベル１０を取り付けた物品の使用状況の確認や、その物品の受発注、あるいは当該物品の使用上における不正使用／真正使用（非純正品・非推奨品／純正品・推奨品）などの確認判定情報、警告情報などの情報発生用として使用できるものである。
【００４６】
図２は、本発明のＩＣメモリチップ付不正防止ラベル１０の使用形態の一例を説明するシステムブロック図であって、Ａは複写機やプリンターなど事務機器本体、１２は事務機器本体Ａに着脱可能に装填されるトナー、インキなど消耗品を充填したカートリッジである。
【００４７】
カートリッジ１２は、カートリッジ容器本体１３の内部に、事務機器Ａにて使用し消耗されるトナー、インキなど消耗品１４が充填されているものであり、カートリッジ容器本体１３の外面又は内側、又は容器本体１３の構造体層内に、本発明のＩＣメモリチップ付不正防止ラベル１０（非接触式ＩＣメモリチップ付）が取り付けられ、該ラベル１０は可視状態で取り付けられていてもよいし、視覚的に隠蔽されて取り付けられていてもよい。
【００４８】
このラベル１０に備えたＩＣメモリチップ１１は、書き込み記録（書き換えや再書き込み記録を含む）と読み出しの両方が可能であってもよいし、又は予め書き込み記録されている情報データの読み出しのみが可能であって、書き込み記録（書き換えや再書き込み記録を含む）が不可能であってもよい。
【００４９】
このラベル１０のＩＣメモリチップ１１には、少なくともカートリッジ１２に関する商品名、製造者名、販売者名、バーコード等の商品情報が、カートリッジ情報として記録されている。
【００５０】
また、ラベル１０のＩＣメモリチップ１１には、カートリッジ情報として、例えば、カートリッジ容器本体に関する商品名称、製造者名、製造担当者、販売者名、住所、電話番号、製造ロット、製造日付、型番、製造機械等の製造情報、あるいは容器材質、容器構成、ＭＳＤＳなど容器材質情報、あるいは消耗品本体に関する商品名称、製造者名、製造担当者、販売者名、住所、電話番号、製造ロット、製造日付、型番、製造機械等の消耗品情報、あるいはカートリッジに関するＩＤ、消耗品内容量等のカートリッジ個体情報が記録されている。
【００５１】
また、カートリッジ容器本体１３、あるいは、このカートリッジ容器本体１３を包装する箱などの外装容器にも、必要に応じて、カートリッジに関する商品名、製造者名、販売者名、バーコード等の商品情報がカートリッジ情報として印刷等にて表示されていてもよい。
【００５２】
図２に示すように、カートリッジ１２は事務機器Ａの定位置に設けたトナー、インキなど消耗品を供給する消耗品供給部のカートリッジ装填部１６に装填されて、その装填部１６には、カートリッジ１２が装填された際に、若しくは事務機器Ａの稼動時などに、所定の読み取りタイミングによって、そのカートリッジ１２に取り付けたラベル１０のＩＣメモリチップ１１に記録されている情報を少なくとも読み取るための読み出し手段１６ａ（リーダー）と、カートリッジ１２が装填されたことを検知する装填検知手段１６ｂを備えている。
【００５３】
また他の例としては、その装填部１６には、カートリッジ１２が装填された際に、若しくは事務機器Ａの稼動時などに、そのラベル１０のＩＣメモリチップ１１に記録されている情報を読み出したり、情報を書き込むための読み出し書き込み手段１６ａ（リーダーライター）を備えている。
【００５４】
本発明においては、カートリッジ情報の改ざんや不正使用を防止するために、ラベル１０のＩＣメモリチップ１１に予め書き込み記録されている情報データの読み出しのみが可能であることが適当であり、その場合の情報データは、その対象商品の製造者（または販売者）によって予め、そのチップ１１に書き込み記録される。
【００５５】
また、ラベル１０のＩＣメモリチップ１１へのカートリッジ情報の書き込み記録は、ＩＣメモリチップ１１をラベル１０に内蔵処理する前でもよいし、内蔵処理後でもよい。また、ＩＣメモリチップ１１を内蔵したラベル１０をカートリッジ１２に取り付ける前でもよいし、取り付け後でもよい。また、書き込み記録の作業は、商品を製造したり、製造した商品を包装したり、販売したりする商品製造者、またはカートリッジ容器本体１３を製造したり、製造したカートリッジ容器本体１３にラベル１０を取り付ける製造者のいずれかが書込手段（図示せず）を用いて行うことができる。
【００５６】
ラベル１０のＩＣメモリチップ１１に記録されているカートリッジ情報データは、カートリッジ１２を装填部に装填した際に読み出し手段１６ａ（又は読み出し書き込み手段）にて読み出され、コンピュータ１７（例えばマイクロプロセッサ、コントローラ、シーケンサ等のコンピュータ手段、あるいはパソコン）に入力されて、そのコンピュータ１７に接続する出力表示画面（液晶ディスプレイ、ＣＲＴディスプレイ）上には、その記録されている情報が可視表示されるようになっている。なお、コンピュータ１７、出力表示画面等は、事務機器Ａと別体のものでもよいし、あるいは事務機器Ａに一体的に搭載したものでもよい。
【００５７】
コンピュータ１７には、例えば、純正品若しくは推奨品であるか、非純正品若しくは非推奨品であるかを照合して、比較判定する比較判定プログラムソフトを備えていて、カートリッジ１２に取り付けたラベル１０のＩＣメモリチップ１１から読み取ったカートリッジ情報と、比較照合の基準データとなる純正品若しくは推奨品のカートリッジ基準情報とをコンピュータ１７の比較判定プログラムソフトにより比較照合される。
【００５８】
そして、両情報が一致していれば、そのカートリッジ１２は、その事務機器Ａに対して純正品若しくは推奨品のカートリッジであるとして出力画面上にメッセージ、例えば、「カートリッジ正常」が表示され、情報が不一致であれば、そのカートリッジ１２はその事務機器Ａに対して純正品若しくは推奨品でないとして出力画面上にメッセージとして、例えば、「カートリッジ異常」の警告が表示される。
【００５９】
そしてコンピュータ１７からは、インターネットなどネットワークを介して、カートリッジ１２の「異常」警告の発生を、その事務機器Ａの製造業者や販売業者の端末機１８に送信連絡することができる。
【００６０】
また、一般に複写機やプリンターなど事務機器Ａには、その事務機器Ａに対して適正な（純正品又は推奨品としての）カートリッジ１２の容器１３内の消耗品量を検出する消耗品量検出センサーを備えている。
【００６１】
その消耗品量検出センサーにより検出した消耗品量減少を知らせる量検出信号をコンピュータ１７に入力し、その量減少検出信号と、当該カートリッジ１２のラベル１０に内蔵するＩＣメモリチップ１１から読み取った読み取り信号とを、コンピュータ１７からインターネットなどネットワークを介して、その事務機器Ａの製造業者や販売業者、又はカートリッジ１２の製造業者や販売業者の端末機１８に送信することにより、「カートリッジ購入」の連絡と、「カートリッジ情報（当該カートリッジの品番、ＩＤコードなど）」の連絡信号とすることができる。
【００６２】
また、ラベル１０のＩＣメモリチップ１１には、読み出し書き込み手段１６ａを用いて、当該カートリッジ１２の繰り返し使用回数、顧客コードナンバー（利ードナンバー）など購入履歴（使用履歴）をデータ入力して記録したり、あるいは、そのＩＣのシーケンシャルナンバー（使用順回数）などを用いて使用履歴を蓄積することにより、購入回数、金額に応じた還元キャンペーンも実施可能になる。
【００６３】
本発明においては、ラベル１０をカートリッジ１２の容器本体１３など消耗部品に添付するものであるが、その添付方式としては、容器本体１３など部品の材質などにより種々の方式がある。
【００６４】
例えば部品本体がプラスチック成型品であれば、インジェクション射出成型時やブロー成型時に、ラベル１０を成形型内に装填して射出成形したり、ブロー成型して、インモールドラベルとして取り付けたり、また紙製品などであれば、ラベル１０を粘着材や接着材を介して貼着するなどの方式がある。
【００６５】
図３は、本発明のＩＣメモリチップ付不正防止ラベル１０（例えばプリンターなど事務機器用のトナー又はインク等の消耗品を充填したカートリッジの定位置に貼着したラベル）を用いたカートリッジに関する検知情報、警告情報に関する動作順序の一例を説明するフローチャートである。
【００６６】
＜Ｓ１＞
まず、事務機器として、例えばプリンターＡのカートリッジ装填部１６にインクカートリッジ１２（インクタンク）を装填すると、装填検知手段１６ｂがインクタンク１２の装填されたことを検知し、読み出し手段１６ａ（又は読み出し書き込み手段）が、タンク１２に貼着したＩＣメモリチップ付不正防止ラベル１０のＩＣメモリチップ１１に記録されているカートリッジ情報を読み取り、インクタンク１２の適正の認識を行う。
【００６７】
＜Ｓ２＞
上記読み取ったカートリッジ情報（読み取りデータ）と、純正品若しくは推奨品カートリッジ情報（基準データ）とを、コンピュータ１７に搭載する比較判定プログラムソフトにより比較照合して、両情報の一致、不一致を判定し、判定結果として両情報が不一致であればインクタンクは適正でないとしてＳ３に進み、プリンターＡのディスプレイパネル（液晶表示部）に警告表示を発し、一致していればＳ４に進む。
【００６８】
＜Ｓ３＞
不一致であれば、プリンターＡのディスプレイパネル（コンピュータ１７の液晶表示部）の出力画面上に、インクタンク１２が異常であることを警告表示して、メッセージとして「適正インキタンクではありません。」、「プリンターに支障を来す恐れがあります。」と表示する。この警告により、適正なインキタンク１２と交換する。
【００６９】
＜Ｓ４＞
一致していれば、そのインクタンク１２に取り付けたラベル１０のＩＣメモリチップ１１に記録されているＩＤコードを読み出し手段１６ａ（又は読み出し書き込み手段）にて読み取り、コンピュータ１７のメモリに記録するとともに、通常通りそのインクタンク１２の使用を継続する。
【００７０】
＜Ｓ５＞
プリンターＡは、そのインクタンク１２を継続使用中に、そのプリンターＡに搭載するインク残量検出手段（図示せず）にてインクタンク１２内のインク残量を検出する。
【００７１】
＜Ｓ６＞
プリンターＡは、検出したインク残量データを、必要に応じて、そのプリンターＡにて、若しくはプリンターＡに搭載するコンピュータ１７を介して別体の印字手段にてシートに出力印字する。
【００７２】
＜Ｓ７＞
また、プリンターＡは、検出したインク残量データを、搭載するコンピュータ１７のメモリに記録する。又は、既にメモリに記録されているインク残量データを新たに検出したインク残量データに更新記録する。
【００７３】
＜Ｓ８＞
インク残量検出手段にて検出したインク残量データと、予め設定されている警告表示のための最少残量データとをコンピュータ１７にて比較判定し、インク使用量が所定使用量に達したことを確認し、所定使用量に達した場合は、Ｓ９に進み、所定使用量に達していない場合はＳ５に戻り、インキ残量を継続的に検出する。
【００７４】
＜Ｓ９＞
インク使用量が所定使用量に達すると、インクを充填した適正なインクタンク１２と交換する時期であることを、プリンターＡのディスプレイパネル（液晶表示部）にて、「インクがなくなりました。インキタンクを交換してください。」と警告表示を行う。
【００７５】
＜Ｓ１０＞
インクタンク１２を交換して装填部１６に装填し、装填検知手段１６ｂが装填されたことを検知するとＳ１に戻り、インクタンク１２の適正を認識する。
以下、同様に上記フローを繰り返すことにより、インクタンクの検知情報、警告情報の発生動作をさせ、プリンターＡの電源をＯＦＦにすることにより、検知情報、警告情報の発生動作を終了させる。
【００７６】
図４は、本発明のＩＣメモリチップ付不正防止ラベル１０を取り付けたカートリッジ（例えばプリンターなど事務機器用のトナー又はインク等の消耗品を充填したカートリッジ）を用いた警告情報に関するビジモスモデルの一例を説明するビジネスフローチャートである。
【００７７】
＜Ｓ１＞
まず、事務機器として、例えばプリンターＡのカートリッジ装填部１６にインキカートリッジ１２を装填すると、読み出し手段１６ａ（又は読み出し書き込み手段）が、カートリッジ１２に取り付けたラベル１０のＩＣメモリチップ１１に記録されているカートリッジ情報を読み取る。
【００７８】
＜Ｓ２＞
上記読み取ったカートリッジ情報（読み取りデータ）と推奨品カートリッジ情報（基準データ）とを、コンピュータ１７に搭載する比較判定プログラムソフトにより比較照合して、両情報の一致、不一致を判定し、判定結果として両情報が一致していればＳ３に進み、不一致であればＳ４に進む。
【００７９】
＜Ｓ３＞
通常通り、そのカートリッジ１２の使用を継続する。
【００８０】
＜Ｓ４＞
コンピュータ１７の出力画面上にカートリッジ１２が異常であることを表示し、メッセージとして、「推奨インキカートリッジではありません。」、「プリンターに支障を来す恐れがあります。」と表示する。この警告により推奨インキカートリッジ１２に交換する。
【００８１】
図５は、本発明のＩＣメモリチップ付ラベル１０を取り付けたカートリッジ（例えばプリンターなど事務機器用のトナー又はインクなど消耗品を充填したカートリッジ）を用いたカートリッジ発注情報に関するビジモスモデルの一例を説明するビジネスフローチャートである。
【００８２】
＜Ｓ１＞
事務機器として、例えばプリンターＡの消耗品量検出センサーが、カートリッジ容器本体１３内の消耗品量（例えばトナー量、又はインク量）が減少したことを検出して、コンピュータ１７の出力表示画面上にトナー残量又はインキ残量警告を表示し、メッセージとして、「トナーの注文をされますか？」、又は「インキの注文をされますか？」と表示する。
【００８３】
＜Ｓ２＞
新たに、トナー又はインキを注文する場合にはＳ３に進み、注文しない場合にはＳ４に進む。
【００８４】
＜Ｓ３＞
コンピュータ１７をインターネットに接続して、残量警告が出ているトナーカートリッジ又はインキカートリッジ１２に取り付けたラベル１０のＩＣメモリチップ１１から読み取った「カートリッジ情報（当該カートリッジの品番、ＩＤコード、数量、送り先など）」を、そのプリンターＡの製造業者や販売業者、又は当該カートリッジ１２の製造業者や販売業者の端末機１８に送信連絡してカートリッジの注文を行う。
【００８５】
【発明の効果】
本発明のＩＣメモリチップ付不正防止ラベルは、ラベル内層部に電磁気検知層とＩＣメモリチップの両方を内蔵して設けてあり、一方の電磁気検知層は、店舗のレジや受付の専用入力機によってチェック済みか、未チェックであるかのＯＮ／ＯＦＦ電磁信号のみを記録したものであり、店舗の検知ゲートを通過した際に、ラベルを取り付けた商品等物品の不正持ち出しの有無を検知するために使用することができ、他方のＩＣメモリチップは、ラベルを取り付けた商品等物品に関する情報をデータとして書き込んだり読み出したりするために使用することができるために多面的な機能性を発揮できる効果がある。
【００８６】
また、本発明のＩＣメモリチップ付不正防止ラベルに内蔵する電磁気検知層とＩＣメモリチップ（非接触式）のそれぞれ電磁気の正常応答可能距離は、比較的一方は長く、他方は短いために、両者によってその欠点を互いに補間できる効果がある。
【００８７】
また、本発明のＩＣメモリチップ付不正防止ラベルは、従来より複写機やプリンターなどの事務機器本体が搭載しているカートリッジ本体の装填有無やカートリッジ内の消耗品の有無を検知する機能だけでなく、ＩＣメモリチップに記録されたカートリッジ情報を読み取り、基準データと比較照合することにより、事務機器に本来使用すべき純正品若しくは推奨品のカートリッジが適正に使用されているかを判定、認識する機能を付与することが可能になる。
【００８８】
そのために、純正品若しくは推奨品の充填されたカートリッジの販売マーケットロスの発生を防止でき、また非推奨品のカートリッジを使用することによる事務機器本体に対するトラブルなどの支障や、故障の原因を未然に防止できる効果がある。
【００８９】
また、本発明のＩＣメモリチップ付不正防止ラベルは、従来より複写機やプリンターなどの事務機器本体が搭載している検出センサーによりカートリッジ内のトナーやインキなどの消耗品残量を検出し、その消耗品残量情報と、ＩＣメモリチップから読み取ったカートリッジ情報とにより、インターネットなどネットワークを介してオンラインで、その事務機器やカートリッジ製造、販売業者にカートリッジの注文情報を送信することができ、迅速なカートリッジの購入、注文、交換が可能となる。
【図面の簡単な説明】
【図１】  （ａ）は本発明のＩＣメモリチップ付不正防止ラベルの一例を説明する概要側面図、（ｂ）〜（ｃ）は他の例を説明する概要側面図。
【図２】  本発明のＩＣメモリチップ付不正防止ラベルを使用した事務機器のカートリッジ情報システムの一例を説明するシステムブロック図。
【図３】  本発明のＩＣメモリチップ付不正防止ラベルを使用した事務機器のカートリッジ情報システムの一例を説明するシステムフローチャート図。
【図４】  本発明のＩＣメモリチップ付不正防止ラベルを使用したビジネスモデルの一例を説明するモデルフローチャート図。
【図５】  本発明のＩＣメモリチップ付不正防止ラベルを使用したビジネスモデルの他の例を説明するモデルフローチャート図。
【符号の説明】
Ａ…事務機器
１…ラベル表面層  ２…電磁気検知防止用導電層  ３…電磁気検知層
４…接着剤層  ５…バーコード印刷層  ６…通常印刷層
１０…ラベル本体  １１…ＩＣメモリチップ  １２…カートリッジ
１３…カートリッジ容器  １４…消耗品  １６…カートリッジ装填部
１７…コンピュータ  １８…端末機  ２０…絶縁性中間層
【図１】
0004843885.tif 000002
【図２】
0004843885.tif 000003
【図３】
0004843885.tif 000004
【図４】
0004843885.tif 000005
【図５】
0004843885.tif 000006